【手続補正書】
【提出日】平成19年12月12日(2007.12.12)
【手続補正１】
【補正対象書類名】明細書
【補正対象項目名】発明の名称
【補正方法】変更
【補正の内容】
【発明の名称】画像形成装置、ユーザインターフェースを提供する装置、及び表示方法
【手続補正２】
【補正対象書類名】明細書
【補正対象項目名】特許請求の範囲
【補正方法】変更
【補正の内容】
【特許請求の範囲】
【請求項１】
画像データに基づいて画像形成装置で行われる画像形成に使用される設定を行うためのユーザインタフェースを提供する装置であって、
前記画像形成において省資源化を達成することが可能な複数の設定項目を表示部に表示させる第１の表示制御手段と、
前記画像形成を行うための複数の設定項目を、省資源化を達成可能か否かに関わらず前記表示部に表示させる第２の表示制御手段と、
前記第１の表示制御手段により表示される設定項目と、前記第２の表示制御手段により表示される設定項目の何れを表示させるかをユーザに選択させる選択手段と、
前記選択手段による選択に応じて前記表示された設定項目のいずれかをユーザーに選択させるための操作手段と、
前記操作手段により選択された設定項目を設定する設定手段と
を有することを特徴とする装置。
【請求項２】
前記第１の表示制御手段により表示される設定項目は、前記画像形成で使用される紙の使用量を削減するための設定項目と、前記画像形成で使用されるトナーの使用量を削減するための設定項目とを含むことを特徴とする請求項１に記載の装置。
【請求項３】
前記紙の使用量を削減するための設定項目は、両面印刷を指定する設定項目と、複数ページ分の前記画像データを縮小して１ページへの印刷を指定する設定項目とを含むことを特徴とする請求項２に記載の装置。
【請求項４】
前記紙の使用量を削減するための設定項目は、紙の使用量を削減しない設定を用いて前記画像データを画像形成した場合に必要な紙の枚数を、略１／２にする設定項目と、略１／４にする設定項目と、略１／８にする設定項目の少なくともいずれか１つを含むことを特徴とする請求項３に記載の装置。
【請求項５】
前記紙の使用量を削減するための設定項目は、前記画像データを縮小して、よりサイズの小さい紙への印刷を指定する設定項目を含むことを特徴とする請求項２乃至４のいずれか１項に記載の装置。
【請求項６】
前記操作手段による前記第１の表示制御手段により表示された設定項目の選択に応じて、省資源化の度合いを判定する判定手段を更に有し、
前記第１の表示制御手段は、前記判定手段により判定された度合いを更に表示することを特徴とする請求項１乃至５のいずれか１項に記載の装置。
【請求項７】
前記第１の表示制御手段は、省資源化の達成目標を設定するための設定項目を更に表示し、
前記装置は、前記操作手段により前記達成目標が設定された場合に、該設定された達成目標を実現可能な設定項目を判定する判定手段を有し、
前記第１の表示制御手段は、前記判定手段により判定された設定項目を一覧表示することを特徴とする請求項１乃至６のいずれか１項に記載の装置。
【請求項８】
前記操作手段により設定された選択項目に基づいて画像形成を行った場合に得られる前記画像データの出力状態を、前記画像形成前に前記表示部に表示させる第３の表示制御手段を更に有することを特徴とする請求項１乃至７のいずれか１項に記載の装置。
【請求項９】
請求項１乃至８のいずれか１項に記載の装置と、
前記装置による設定を用いて、画像データに基づく画像形成を行う画像形成手段と
を有することを特徴とする画像形成装置。
【請求項１０】
画像データに基づいて画像形成装置で行われる画像形成に使用される設定を行うためのユーザインタフェースの表示方法であって、
前記画像形成において省資源化を達成することが可能な複数の設定項目を表示部に表示させる第１の表示制御工程と、
前記画像形成を行うための複数の設定項目を、省資源化を達成可能か否かに関わらず前記表示部に表示させる第２の表示制御工程と、
ユーザ選択に応じて、前記第１の表示制御工程により表示される設定項目と、前記第２の表示制御手段により表示される設定項目の何れを表示させるかを判断する判断工程と、
前記判断工程による判断に応じて前記表示された設定項目のいずれかをユーザが選択したことを検知して、選択された設定項目を設定する設定工程とを有し、
前記判断工程は、前記第１の表示制御工程及び前記第２の表示制御工程に先立って行われることを特徴とする表示方法。
【請求項１１】
コンピュータに、請求項１０に記載の表示方法の各工程を実行させるためのプログラム。
【請求項１２】
請求項１１に記載のプログラムを格納したことを特徴とするコンピュータが読み取り可能な記憶媒体。
【手続補正３】
【補正対象書類名】明細書
【補正対象項目名】００１１
【補正方法】変更
【補正の内容】
【００１１】
【課題を解決するための手段】
上記目的を達成するために、画像データに基づいて画像形成装置で行われる画像形成に使用される設定を行うためのユーザインタフェースを提供する本発明の装置は、前記画像形成において省資源化を達成することが可能な複数の設定項目を表示部に表示させる第１の表示制御手段と、前記画像形成を行うための複数の設定項目を、省資源化を達成可能か否かに関わらず前記表示部に表示させる第２の表示制御手段と、前記第１の表示制御手段により表示される設定項目と、前記第２の表示制御手段により表示される設定項目の何れを表示させるかをユーザに選択させる選択手段と、前記選択手段による選択に応じて前記表示された設定項目のいずれかをユーザーに選択させるための操作手段と、前記操作手段により選択された設定項目を設定する設定手段とを有する。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
上記構成によれば、標準的な画像形成の設定と、省資源を意識した画像形成の設定とを切り替えることで、ユーザのニーズに合わせた使い方ができる。
【手続補正８】
【補正対象書類名】明細書
【補正対象項目名】００１６
【補正方法】変更
【補正の内容】
【００１６】
本発明の好適な一様態によれば、前記第１の表示制御手段により表示される設定項目は、前記画像形成で使用される紙の使用量を削減するための設定項目と、前記画像形成で使用されるトナーの使用量を削減するための設定項目とを含む。
【手続補正９】
【補正対象書類名】明細書
【補正対象項目名】００１７
【補正方法】変更
【補正の内容】
【００１７】
また、本発明の好適な一様態によれば、前記紙の使用量を削減するための設定項目は、紙の使用量を削減しない設定を用いて前記画像データを画像形成した場合に必要な紙の枚数を略１／２にする設定項目と、略１／４にする設定項目と、略１／８にする設定項目との少なくともいずれか１つを含む。
【手続補正１０】
【補正対象書類名】明細書
【補正対象項目名】００１８
【補正方法】変更
【補正の内容】
【００１８】
また、本発明の好適な一様態によれば、前記紙の使用量を削減するための設定項目は、両面印刷を指定する設定項目と、複数ページ分の前記画像データを縮小して１ページへの印刷を指定する設定項目とを含む。
【手続補正１１】
【補正対象書類名】明細書
【補正対象項目名】００１９
【補正方法】変更
【補正の内容】
【００１９】
上記構成によれば、省紙の割合に応じて原稿に対して複数の出力パターンを選択できることで、ユーザが省資源の意識を高められると同時に、設定操作が容易になる。
【手続補正１２】
【補正対象書類名】明細書
【補正対象項目名】００２０
【補正方法】削除
【補正の内容】
【手続補正１３】
【補正対象書類名】明細書
【補正対象項目名】００２２
【補正方法】変更
【補正の内容】
【００２２】
また、本発明の好適な一様態によれば、前記操作手段による前記第１の表示制御手段により表示された設定項目の選択に応じて、省資源化の度合いを判定する判定手段を更に有し、前記第１の表示制御手段は、前記判定手段により判定された度合いを更に表示する。
【手続補正１４】
【補正対象書類名】明細書
【補正対象項目名】００２３
【補正方法】変更
【補正の内容】
【００２３】
上記構成によれば、省資源の度合い表示することにより、ユーザが省資源の度合いを直感的に視覚的に理解することができる。
【手続補正１５】
【補正対象書類名】明細書
【補正対象項目名】００２４
【補正方法】変更
【補正の内容】
【００２４】
また、本発明の好適な一様態によれば、前記第１の表示制御手段は、省資源化の達成目標を設定するための設定項目を更に表示し、前記装置は、前記操作手段により前記達成目標が設定された場合に、該設定された達成目標を実現可能な設定項目を判定する判定手段を有し、前記第１の表示制御手段は、前記判定手段により判定された設定項目を一覧表示する。
【手続補正１６】
【補正対象書類名】明細書
【補正対象項目名】００２５
【補正方法】変更
【補正の内容】
【００２５】
上記構成によれば、ガイダンスを用いることでこの画像形成装置の省資源の機能を詳細に理解でき、初めての操作でも簡単に設定することができる。
【手続補正１７】
【補正対象書類名】明細書
【補正対象項目名】００２６
【補正方法】変更
【補正の内容】
【００２６】
また、本発明の好適な一様態によれば、前記操作手段により設定された選択項目に基づいて画像形成を行った場合に得られる前記画像データの出力状態を、前記画像形成前に前記表示部に表示させる第３の表示制御手段を更に有する。
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】変更
【補正の内容】
【００３１】
また、画像データに基づいて画像形成装置で行われる画像形成に使用される設定を行うための本発明のユーザインタフェース表示方法は、前記画像形成において省資源化を達成することが可能な複数の設定項目を表示部に表示させる第１の表示制御工程と、前記画像形成を行うための複数の設定項目を、省資源化を達成可能か否かに関わらず前記表示部に表示させる第２の表示制御工程と、ユーザ選択に応じて、前記第１の表示制御工程により表示される設定項目と、前記第２の表示制御手段により表示される設定項目の何れを表示させるかを判断する判断工程と、前記判断工程による判断に応じて前記表示された設定項目のいずれかをユーザが選択したことを検知して、選択された設定項目を設定する設定工程とを有し、前記判断工程は、前記第１の表示制御工程及び前記第２の表示制御工程に先立って行われる。